(57)【要約】【課題】表示部と視聴者との間に障害物が入り込んでも、表示部に映し出される全体の映像を確実に視聴できるようにすること。【解決手段】検知手段である焦電型赤外線センサ１１８により、赤外線が検知されることで、少なくとも表示部２の前方に人物が存在していることが認識され、画像取込手段であるカメラ３により表示部２の前方の画像が取り込まれると、映像表示制御手段であるＣＰＵ１１５により、カメラ３によって取り込まれた画像から視聴者及び障害物が判別され、視聴者による表示部２での映像の表示領域が障害物によって阻害されないように当該表示領域が制御されるようにした。具体的には、ＣＰＵ１１５により、視聴者の位置を示す座標と、視聴者の視聴可能な領域の境目を示す障害物の端点座標とを求め、これらの座標から表示部２における当該表示領域のサイズ及び位置を設定するようにした。【選択図】図１
2013171275.tif 000002
【特許請求の範囲】
【請求項１】
映像を表示する表示部を有する映像表示装置であって、
前記表示部の前方に存在する物体が発生する赤外線、又は前記物体からの反射波を検知する検知手段と、
該検知手段によって前記赤外線、又は前記反射波が検知されると、前記表示部の前方の画像を取り込む画像取込手段と、
該画像取込手段によって取り込まれた画像から視聴者及び障害物を判別し、前記視聴者による前記表示部での映像の表示領域が前記障害物によって阻害されないように当該表示領域を制御する映像表示制御手段とを備える
ことを特徴とする映像表示装置。
【請求項２】
前記映像表示制御手段は、前記視聴者の位置を示す座標と、前記視聴者の視聴可能な領域の境目を示す前記障害物の端点座標とを求め、これらの座標から前記表示部における当該表示領域のサイズ及び位置を設定することを特徴とする請求項１に記載の映像表示装置。
【請求項３】
前記映像表示制御手段は、前記障害物によって阻害される表示領域に付加された情報を、前記障害物によって阻害されない前記表示領域に表示させることを特徴とする請求項１に記載の映像表示装置。
【請求項４】
表示部に対する映像の表示を制御する映像表示制御方法であって、
検知手段により、前記表示部の前方に存在する物体が発生する赤外線、又は前記物体からの反射波を検知し、
該検知手段によって前記赤外線、又は前記反射波が検知されると、画像取込手段により前記表示部の前方の画像を取り込み、
映像表示制御手段により、前記画像取込手段によって取り込まれた画像から視聴者及び障害物を判別し、前記視聴者による前記表示部での映像の表示領域が前記障害物によって阻害されないように当該表示領域を制御する
ことを特徴とする映像表示制御方法。
【請求項５】
前記映像表示制御手段により、前記視聴者の位置を示す座標と、前記視聴者の視聴可能な領域の境目を示す前記障害物の端点座標とを求め、これらの座標から前記表示部における当該表示領域のサイズ及び位置を設定することを特徴とする請求項４に記載の映像表示制御方法。
【請求項６】
前記映像表示制御手段により、前記障害物によって阻害される表示領域に付加された情報を、前記障害物によって阻害されない前記表示領域に表示させることを特徴とする請求項４に記載の映像表示制御方法。
【発明の詳細な説明】
【技術分野】
【０００１】
本発明は、映像表示装置の映像表示制御に適した映像表示装置及び映像表示制御方法に関する。
【背景技術】
【０００２】
近年のテレビジョン装置等の映像表示装置においては、たとえば高画質化に伴い、大型画面を有するものが広く普及している。このような映像表示装置では、複数の視聴者が個々に異なる番組等の映像を試聴することができるように、大型画面の任意の表示領域を分割して複数の子画面を表示させる表示機能を搭載しているものがある。  
【０００３】
ところで、このような大型画面を有する映像表示装置にあっては、視聴者と映像表示装置の画面との間に他の人や衝立等が入り込むと、これらが障害物となって映像の一部が見えなくなってしまうことがある。
【０００４】
このような不具合を解消するものとして、特許文献１では、映像表示機器の前方側に位置する視聴者の体温を感知し、視聴者の位置に従って映像表示機器の画面部を自動に揺動し得るようにした映像表示機器の自動揺動装置を提案している。これは、画面部の前方の視聴者の体温を体温感知部により感知し、体温の感知範囲（角度）を判別部により判別し、体温の感知範囲を設定部により補償し、演算処理部により画面部の揺動中心軸を演算し、駆動部により画面部を揺動させるようにしたものである。
【先行技術文献】
【特許文献】
【０００５】
【特許文献１】特開２０００−１７５１２９号公報
【発明の概要】
【発明が解決しようとする課題】
【０００６】
ところが、上述した特許文献１では、視聴者の位置に向けて画面部が自動で揺動することにより、画面部に対する視聴角度が自動で調整されるものの、視聴者と画面部との間に、他の人や衝立等が入り込むと、これらが障害物となって画面部に表示されている映像の一部が見えなくなってしまう、という問題があった。
【０００７】
また、体温感知部による感知によって視聴者の位置が決定されるようになっているものの、視聴者と画面部との間に入り込んだ他の人や衝立等の障害物を検出して回避する手段が備わっていないため、その障害物を避けるように画面部を視聴者に向けることができないことから、画面部に表示された映像の一部が障害物に隠れて見えなくなってしまうという問題もあった。
【０００８】
また、障害物が他の人である場合、体温感知部による感知によってその他の人が視聴者と判断され、画面部がその他の人に向けられることで、画面部に対する視聴角度が急峻なものとなり、画面部に表示された映像が見えなくなってしまうおそれがあるという問題もあった。
【０００９】
本発明は、このような状況に鑑みてなされたものであり、表示部と視聴者との間に障害物が入り込んでも、表示部に映し出される全体の映像を確実に視聴することができる映像表示装置及び映像表示制御方法を提供することを目的とする。
【課題を解決するための手段】
【００１０】
本発明の映像表示装置は、映像を表示する表示部を有する映像表示装置であって、前記表示部の前方に存在する物体が発生する赤外線、又は前記物体からの反射波を検知する検知手段と、該検知手段によって前記赤外線、又は前記反射波が検知されると、前記表示部の前方の画像を取り込む画像取込手段と、該画像取込手段によって取り込まれた画像から視聴者及び障害物を判別し、前記視聴者による前記表示部での映像の表示領域が前記障害物によって阻害されないように当該表示領域を制御する映像表示制御手段とを備えることを特徴とする。
また、前記映像表示制御手段は、前記視聴者の位置を示す座標と、前記視聴者の視聴可能な領域の境目を示す前記障害物の端点座標とを求め、これらの座標から前記表示部における当該表示領域のサイズ及び位置を設定するようにすることができる。
また、前記映像表示制御手段は、前記障害物によって阻害される表示領域に付加された情報を、前記障害物によって阻害されない前記表示領域に表示させるようにすることができる。
本発明の映像表示制御方法は、表示部に対する映像の表示を制御する映像表示制御方法であって、検知手段により、前記表示部の前方に存在する物体が発生する赤外線、又は前記物体からの反射波を検知し、該検知手段によって前記赤外線、又は前記反射波が検知されると、画像取込手段により前記表示部の前方の画像を取り込み、映像表示制御手段により、前記画像取込手段によって取り込まれた画像から視聴者及び障害物を判別し、前記視聴者による前記表示部での映像の表示領域が前記障害物によって阻害されないように当該表示領域を制御することを特徴とする。
また、前記映像表示制御手段により、前記視聴者の位置を示す座標と、前記視聴者の視聴可能な領域の境目を示す前記障害物の端点座標とを求め、これらの座標から前記表示部における当該表示領域のサイズ及び位置を設定するようにすることができる。
また、前記映像表示制御手段により、前記障害物によって阻害される表示領域に付加された情報を、前記障害物によって阻害されない前記表示領域に表示させるようにすることができる。
本発明の映像表示装置及び映像表示制御方法では、検知手段により、表示部の前方に存在する物体が発生する赤外線、又は前記物体からの反射波が検知され、画像取込手段により表示部の前方の画像が取り込まれると、映像表示制御手段により、画像取込手段によって取り込まれた画像から視聴者及び障害物が判別され、視聴者による表示部での映像の表示領域が障害物によって阻害されないように当該表示領域が制御される。
【発明の効果】
【００１１】
本発明の映像表示装置及び映像表示制御方法によれば、映像表示制御手段により、画像取込手段によって取り込まれた画像から視聴者及び障害物が判別され、視聴者による表示部での映像の表示領域が障害物によって阻害されないように当該表示領域が制御されるようにしたので、表示部と視聴者との間に障害物が入り込んでも、表示部に映し出される全体の映像を確実に視聴することができる。
【図面の簡単な説明】
【００１２】
【図１】本発明の映像表示装置をテレビジョン装置に適用した場合の一実施形態を示す図である。
【図２】図１のテレビジョン装置の内部構成の概要を示すブロック図である。
【図３】図１のテレビジョン装置における、映像表示制御を説明するためのフローチャートである。
【図４】図１のテレビジョン装置における、映像表示制御の一例を示す図である。
【図５】図１の映像表示装置における、映像表示制御の他の例を示す図である。
【図６】図１の映像表示装置における、視聴者の位置検出等を説明するためのフローチャートである。
【図７】図１の映像表示装置における、視聴者の位置検出等を説明するための図である。
【図８】本発明の映像表示装置を電子黒板に適用した場合を説明するための図である。
【発明を実施するための形態】
【００１３】
以下、本発明の一実施形態の詳細を、図１〜７を参照して説明する。
まず、図１は、本発明の映像表示装置をテレビジョン装置に適用した場合を示すものであり、符号１はテレビジョン装置を示し、符号２は表示部を示し、符号３はカメラを示し、符号４はスピーカを示し、符号５はヘッドホン端子を示し、符号１１６はリモコン受光部を示し、符号１１８は焦電型赤外線センサを示している。
【００１４】
特に、カメラ３は視聴者及び障害物を検出する際に周辺の画像を取り込むものである。また、焦電型赤外線センサ１１８は、物体の発生する微弱な赤外線を検知するものであり、近赤外から遠赤外領域まで広い検知波長範囲を持つ高感度センサである。そして、この焦電型赤外線センサ１１８により、赤外線が検知されることで、少なくとも表示部２の前方に人物が存在していることが認識されることになる。また、リモコン受光部１１６は、後述のリモコン送信機２００からのたとえば赤外線によるリモコンコード信号を受光する。
【００１５】
次に、図２は、テレビジョン装置１の内部構成である映像音声処理回路を示すものであり、映像音声処理回路１００は、デジタルチューナ部１０４、ネットワークインターフェース部１０５、外部入力部１０６、映像セレクタ１０７、音声セレクタ１０８、映像処理回路１０９、ＯＳＤ生成部１１０、音声処理回路１１１、ビデオ出力変換部１１２、オーディオ出力変換部１１３、ＲＡＭ１１４、ＣＰＵ１１５、不揮発性メモリ１１７等を有している。
【００１６】
デジタルチューナ部１０４は、テレビアンテナ１０１を介し、たとえばリモコン送信機２００によって選択されたテレビ放送番組を選局する。ネットワークインターフェース部１０５は、ＬＡＮ１０２を介して得られる、たとえばインターネットからの映像信号等を取り込む。
【００１７】
外部入力部１０６は、外部入力端子１０３を介し、図示しない記録再生装置等からの映像信号等を取り込む。映像セレクタ１０７は、たとえばリモコン送信機２００による選択に応じて、デジタルチューナ部１０４からのテレビ放送番組、ネットワークインターフェース部１０５からの映像信号等又は外部入力部１０６からの映像信号等のいずれかを選択して出力する。
【００１８】
音声セレクタ１０８は、たとえばリモコン送信機２００による選択に応じて、デジタルチューナ部１０４からのテレビ放送番組の音声、ネットワークインターフェース部１０５からの映像信号等の音声又は外部入力部１０６からの映像信号等の音声のいずれかを選択して出力する。
【００１９】
映像処理回路１０９は、映像セレクタ１０７によって選択された映像信号等に対するデータ処理を行う。ＯＳＤ生成部１１０は、表示部２にＯＳＤ（ｏｎ  ｓｃｒｅｅｎ  ｄｉｓｐｌａｙ  ）表示させるための画像を生成する。
【００２０】
音声処理回路１１１は、音声セレクタ１０８によって選択された映像信号等の音声に対するデータ処理を行う。ビデオ出力変換部１１２は、加算器１１２ａを介して得られる映像処理回路１０９及び／又はＯＳＤ生成部１１０からの映像又は画像に対し、表示部２によって表示される信号への変換を行う。
【００２１】
オーディオ出力変換部１１３は、音声処理回路１１１からの音声信号に対し、ピーカ４及び／又はヘッドホン端子５から出力される信号への変換を行う。ＲＡＭ１１４には、たとえば表示部２における画質等に関わる設定値やリモコン送信機２００によって設定された各種設定値等が記憶される。
【００２２】
ＣＰＵ１１５は、たとえば後述の制御モードの設定の有無を判断し、たとえば障害物を避けて映像を表示させる映像表示制御等を行う。不揮発性メモリ１１７には、たとえばＣＰＵ１１５による制御手順等を示すプログラム等が記憶されている。
【００２３】
次に、上述した映像音声処理回路１００による映像表示制御を、図３〜図５を参照して説明する。なお、以下の説明においては、たとえばリモコン送信機２００の操作により、設定画面にて障害物検知の設定有りが選択されているものとする。そして、ＣＰＵ１１５は、以下のような障害物検知による映像表示制御を実行するものとする。
【００２４】
まず、任意のチャンネルが選択されている状態でそのチャンネルの映像音声が出力されているとき（ステップＳ１）、上述したカメラ３及び焦電型赤外線センサ１１８による障害物検知が行われる（ステップＳ２）。
【００２５】
ここで、たとえば図４に示すように、テーブル３００を挟んで大人Ａと子供ａとが向かい合わせとなり、子供ａがテレビジョン装置１の表示部２に映し出されている映像を視聴しているとしたとき、大人Ａが障害物として検知される。すなわち、表示部２と子供ａとの間に大人Ａが入り込んでいるいるため、表示部２の一部である、表示領域２ｃの映像が見えなくなってしまうことになるためである。なお、障害物の検知についての詳細は、後述する。
【００２６】
次いで、制御モードの有無が判断される（ステップＳ３）。この制御モードは、たとえばリモコン送信機２００により障害物検知の設定有りが選択されることによって実行されるものであり、障害物検知の設定が無ければ（ステップＳ３：ＮＯ）、終了となる。
【００２７】
これに対し、障害物検知の設定が有れば（ステップＳ３：ＹＥＳ）、視聴者の選択の有無が判断される（ステップＳ４）。ここで、視聴者が既に選択されていれば（ステップＳ４：ＹＥＳ）、視聴者自動判別の処理が行われないが、視聴者が選択されていなければ（ステップＳ４：ＮＯ）、視聴者の自動判別が行われる（ステップＳ５）。なお、視聴者の選択とは、視聴者の位置が判別されているかどうかであり、視聴者の位置が判別されていれば、視聴者の自動判別は行われないことになるが、視聴者の自動判別の詳細についても後述する。
【００２８】
次いで、視聴者が既に選択されている場合や視聴者の自動判別が行われた場合は、映像表示制御が行われる（ステップＳ６）。ここでは、たとえば図４に示すように、子供ａが視聴者である場合、表示部２の表示領域２ａに１６：９のアスペクト比での映像が表示されるように制御される。この表示領域２ａは、大人Ａによって視聴の妨げとならず、しかも、１６：９のアスペクト比での映像の全体が映し出される領域となるが、その映像の表示制御の詳細についても後述する。
【００２９】
なお、表示部２の表示領域２ａでの表示サイズは、たとえばリモコン送信機２００の操作により、適宜変更することは可能である。また、元々、映像の一部が見えなくなっている表示領域２ｃに加え、表示領域２ｂ、２ｄについても、映像が表示されず黒又は灰色の画面となる。
【００３０】
次いで、視聴者の変更と映像の変更の有無が判断される（ステップＳ７、８）。すなわち、たとえば図４に示す位置で子供ａが視聴しているとき、その子供ａがたとえば大人Ａ側に移動した場合に視聴者が変更されたと判断される（ステップＳ７：ＹＥＳ）。
【００３１】
また、たとえば図５に示すように、子供ｂが大人Ａと向かい合う位置に居て、子供ｂが表示領域２ｃを見ながら大人Ａとの会話や食事をしているとき、子供ｂが視聴者として追加されるため、視聴者が変更されたと判断される。なお、子供ａが表示部２の前から離れ、他の子供又は大人が表示部２の前に来た場合も、視聴者が変更されたと判断される。
【００３２】
この場合、たとえば図５に示すように、大人Ａが障害物として検知されている場合や、表示領域２ａに子供ａが視聴している映像が表示されている場合は、視聴者が選択されていないと判断され（ステップＳ４：ＮＯ）、視聴者の自動判別が行われ（ステップＳ５）、表示領域２ｂが子供ｂにとって視聴可能と判断されることで、その表示領域２ｂに１６：９のアスペクト比での映像が表示されるように映像表示制御が行われる（ステップＳ６）。
【００３３】
なお、表示部２の表示領域２ｂでの表示サイズは、たとえばリモコン送信機２００の操作により、適宜変更することは可能である。また、図５のように、視聴者が子供ａと子供ｂの２人となった場合は、子供ａが視聴している表示領域２ａの映像に対応する音声のＲ／Ｌのうち、Ｒの音声を右側のスピーカ４から出力させ、その映像のＬの音声はヘッドホン端子５から出力させるようにしてもよい。
【００３４】
また、子供ｂが視聴している表示領域２ｂの映像に対応する音声のＲ／Ｌのうち、Ｌの音声を左側のスピーカ４から出力させ、その映像のＲの音声はヘッドホン端子５から出力させるようにしてもよい。
【００３５】
また、それぞれのスピーカ４からそれぞれの表示領域２ａ、２ｂの映像に対応する音が出力されるようにしてもよい。この場合、たとえばそれぞれのスピーカ４に音の指向性をもたせると、子供ａと子供ｂに対し、それぞれが視聴している映像の音を届けることができる。
【００３６】
また、たとえば図４に示す表示領域２ａの映像がリモコン送信機２００のチャンネル変更等の操作により、変更された場合（ステップＳ８：ＹＥＳ）、ステップＳ３に移行して制御モードの有無が判断され、視聴者が既に選択されていれば（ステップＳ４：ＹＥＳ）、リモコン送信機２００の操作に応じた映像表示制御が行われる（ステップＳ６）。
【００３７】
また、視聴者が変更されなかった場合（ステップＳ７：ＮＯ）や、映像が変更されなかった場合（ステップＳ８：ＮＯ）、終了かどうかが判断される（ステップＳ９）。ここで、終了とは、テレビジョン装置１の電源がオフされるか、又は障害物検知の設定が無しとされることである。
【００３８】
そして、終了で無ければ（ステップＳ９：ＮＯ）、ステップＳ３に移行して上述した手順が繰り返されるが、終了となると（ステップＳ９：ＹＥＳ）、上述した手順の実行が終了する。
【００３９】
次に、上述した障害物検知、視聴者の自動判別、映像の表示制御について、図６及び図７を参照して説明する。なお、以下の説明においては、たとえば図４に示したように、テーブル３００を挟んで大人Ａと子供ａとが向かい合わせとなり、子供ａがテレビジョン装置１の表示部２に映し出されている映像を視聴しようとした場合を想定しているものとする。また、図１に示したカメラ３は、たとえば図７に示すように、表示部２の上部に２台設けられているものとする。また、図７は、図４を真上から見た場合を示している。
【００４０】
そしてまず、視聴者を選定するために、顔検出が行われる（ステップＳ２０）。この場合、たとえば図７に示すカメラ３による画像が取り込まれる。ここで、視聴者かどうかを判断するためには、たとえば顔が表示部２側を向いているか、又は瞼の動きがあるかどうかで視聴者かどうかを判断できる既存の画像処理技術を用いることができる。
【００４１】
次いで、子供ａが視聴者である場合、視聴者（子供ａ）の位置を示す座標（ｘ１、ｙ１）の測定及び他の物体の位置の測定が行われる（ステップＳ２１、Ｓ２２）。ここで、視聴者（子供ａ）の位置を示す座標（ｘ１、ｙ１）は、カメラ３によって取り込まれた画像から表示部２に対する座標位置を検出できる既存の画像処理技術を用いることができる。
【００４２】
次いで、視聴者の手前に障害物が有るかどうかが判断される（ステップＳ２３）。ここで、視聴者の手前に障害物が無ければ、ステップＳ２０に移行するが、図７に示すように、視聴者の手前に大人Ａが入り込んでいる場合、大人Ａが障害物として判断される（ステップＳ２３：ＹＥＳ）。
【００４３】
ここで、図１に示した焦電型赤外線センサ１１８により、赤外線が検知されることで、少なくとも大人Ａは人物であると認識されるものの、上述した顔検出により視聴者でないと判断されれば、大人Ａは障害物として検知されることになる。
【００４４】
次いで、上記同様の画像処理により、障害物の視聴者側の端点座標（ｘ２、ｙ２）が測定される（ステップＳ２４）。ここで、端点座標とは、視聴者である子供ａの視聴可能な領域の境目を示すものである。そして、障害物の視聴者側の端点座標が測定されると、子供ａと大人Ａの２点を通る直線が下記の式（１）により算出される（ステップＳ２５）。
ｙ＝｛（ｙ１−ｙ２）／（ｘ１−ｘ２）｝ｘ＋ｙ１−｛ｘ１（ｙ１−ｙ２）／（ｘ１−ｘ２）｝・・・（１）
【００４５】
次いで、式（１）により算出された直線とｘ軸の交点ｘ０が下記の式（２）により算出される（ステップＳ２６）。
ｘ０＝ｘ１−｛ｙ１（ｘ１−ｘ２）／（ｙ１−ｙ２）｝・・・（２）
【００４６】
そして、ｘ軸の交点ｘ０が算出されると、ｘ＝ｘ０までがたとえば図４に示した表示領域２ａとされ、その表示領域２ａに映像が表示される（ステップＳ２７）。なお、ｙ方向については、その表示領域２ａの映像の中心が表示部２の中心となるように表示されるようにしてもよいし、視聴者が任意に調整できるようにしてもよい。
【００４７】
このように、本実施形態では、検知手段である焦電型赤外線センサ１１８により、赤外線が検知されることで、少なくとも表示部２の前方に人物が存在していることが認識され、画像取込手段であるカメラ３により表示部２の前方の画像が取り込まれると、映像表示制御手段であるＣＰＵ１１５により、カメラ３によって取り込まれた画像から視聴者及び障害物が判別され、視聴者による表示部２での映像の表示領域が障害物によって阻害されないように当該表示領域が制御されるようにした。
【００４８】
具体的には、ＣＰＵ１１５により、視聴者の位置を示す座標と、視聴者の視聴可能な領域の境目を示す障害物の端点座標とを求め、これらの座標から表示部２における当該表示領域のサイズ及び位置を設定するようにした。
【００４９】
これにより、表示部２と視聴者との間に障害物が入り込んでも、表示部２に映し出される全体の映像を確実に視聴することができる。
【００５０】
また、本実施形態では、視聴中の視聴者が表示部２の前方から移動しても、その移動に合わせて表示部２における表示領域の表示位置が変更されるため、移動の度に煩わしい操作を行うことなしに、常に最適な画面サイズでの視聴が可能となる。
【００５１】
また、たとえば図４に示したように、表示領域２ａのみに映像が表示されるようにすることで、他の表示領域２ｂ、２ｃ、２ｄが使用されないことから、表示部２全体で映像を表示させる場合に比べ、消費電力を低減させることも可能となる。
【００５２】
また、図５に示したように、子供ｂが大人Ａと向かい合う位置に居ても、大人Ａの頭上部に相当する表示領域２ｂに子供ｂが視聴できる映像が表示されるようにしたので、子供ｂは大人Ａと会話しかしながら映像を視聴することができる。
【００５３】
なお、本実施形態では、たとえば図４において、表示領域２ａに子供ａが視聴している映像を表示させたとき、表示領域２ｂ〜２ｄに何も表示されないようにした場合について説明したが、これらの表示領域２ｂ〜２ｄを積極的に活用することも可能である。
【００５４】
すなわち、たとえば図４において、たとえば表示領域２ｂに、たとえば現在放送（ライブ映像）されているスポーツ番組の内容（文字等）を表示させ、たとえば大人Ａによって隠れている表示領域２ｃにそのスポーツ番組の映像を表示させておくようにする。
【００５５】
このようにすると、表示領域２ａの映像を視聴中に、表示領域２ｃの映像をのぞき込むことで、スポーツの途中経過等を確認することができる。
【００５６】
また、その表示領域２ｃにリアルタイムで変更される天気情報を表示させておけば、表示領域２ｃの映像をのぞき込むことで、リアルタイムで変更される天気情報を確認することができる。
【００５７】
いずれにしても、たとえば表示領域２ｃに、常時視聴することはないものの、気になるときに即座に確認できるような現在進行形の情報を表示させるようにすることで、障害物によって見えない表示領域の有効活用を図ることが可能となる。
【００５８】
なお、本実施形態では、本発明の映像表示装置をテレビジョン装置１に適用した場合について説明したが、この例に限らず、電子看板と呼ばれるデジタルサイネージに適用することも可能である。この場合、デジタルサイネージの周りに人垣ができて、その表示領域が少ない場合であっても、空きがある表示領域に必要な情報が表示されるようになる。
【００５９】
また、本実施形態では、検知手段として焦電型赤外線センサ１１８を例示したが、これに限らず、検知手段を、遠赤外線を感知するパッシブセンサー又は近赤外線を感知するアクティブセンサーとしてもよい。また、検知手段を、物体に対して超音波又は電磁波を出射し、物体から反射してくる反射波である超音波又は電磁波を検出するセンサーとしてもよい。
【００６０】
また、本実施形態では、本発明の映像表示装置をテレビジョン装置１に適用した場合について説明したが、この例に限らず、画面上に書き込みを行ったり、映像と書き込んだ内容（情報）とが同時に表示されたりすることが可能な電子黒板に適用することも可能である。すなわち、たとえば図８に示すように、上述した表示部２に相当する板書面２Ａを有する電子黒板１Ａに対して人物Ｂにより文字等の情報が書き込まれる（付加される）とき、その人物Ｂにより上述した表示部２ｃに相当する板書領域２Ｂの閲覧が制限されてしまうことになる。
【００６１】
この場合、板書面２Ａの上述した表示部２ａに相当する余白領域２Ｃに板書が上述した映像処理回路１０９に相当する処理回路により自動的に表示されるようにすることで、人物Ｂによる書き込み中の内容等又は書き込まれた内容等の閲覧が人物Ｂによって阻害されることがなくなる。なお、余白領域２Ｃにおいては、図示のように、板書面２Ａの右上に限らず、右下であってもよいし、左上であってもよく、いずれも任意に設定することが可能である。
【符号の説明】
【００６２】
１  テレビジョン装置
１Ａ  電子黒板
２Ａ  板書面
２Ｂ  板書領域
２Ｃ  余白領域
２  表示部
２ａ〜２ｄ  表示領域
３  カメラ
４  スピーカ
５  ヘッドホン端子
１００  映像音声処理回路
１０９  映像処理回路
１１０  ＯＳＤ生成部
１１１  音声処理回路
１１２  ビデオ出力変換部
１１３  オーディオ出力変換部
１１６  リモコン受光部
１１８  焦電型赤外線センサ
２００  リモコン送信機
【図１】
2013171275.tif 000003
【図２】
2013171275.tif 000004
【図３】
2013171275.tif 000005
【図４】
2013171275.tif 000006
【図５】
2013171275.tif 000007
【図６】
2013171275.tif 000008
【図７】
2013171275.tif 000009
【図８】
2013171275.tif 000010